(57)【要約】【課題】  簡単な構造で、ＬＥＤ照明装置の発光面の均一性を改善することを可能とする。【解決手段】  本発明では、箱体により形成した本体の上面を拡散性のある透過部材により構成すると共に発光面とし、該枠体の内部にＬＥＤ素子を光源として用いたＬＥＤ照明装置において、ＬＥＤ素子は所定方向に光を放射するＬＥＤ素子であって、ＬＥＤ素子から発せられる所定方向への光の放射方向がＬＥＤ照明装置の発光面と略平行になるようにＬＥＤ素子を配置し、前記ＬＥＤ照明装置の発光面と略対向した前記箱体の底部に第１の反射部材を備え、前記ＬＥＤ素子から発せられる所定方向への光の放射方向と略対向した位置に第２の反射部材を備えた。【選択図】  図２
2005108694.tif 000002
【特許請求の範囲】
【請求項１】
箱体により形成した本体の上面を拡散性のある透過部材により構成すると共に発光面とし、該箱体の内部にＬＥＤ素子を光源として用いたＬＥＤ照明装置において、ＬＥＤ素子は所定方向に光を放射するＬＥＤ素子であって、ＬＥＤ素子から発せられる所定方向への光の放射方向がＬＥＤ照明装置の発光面と略平行になるようにＬＥＤ素子を配置し、前記ＬＥＤ照明装置の発光面と略対向した前記箱体の底部に第１の反射部材を備え、前記ＬＥＤ素子から発せられる所定方向への光の放射方向と略対向した位置に第２の反射部材を備えたことを特徴とするＬＥＤ照明装置。
【請求項２】
前記ＬＥＤ素子を所定方向にピークの光を放射するＬＥＤ素子としたことを特徴とする請求項１記載のＬＥＤ照明装置。
【請求項３】
前記ＬＥＤ素子は所定方向にピークの光を放射するＬＥＤ素子であって、ＬＥＤ素子から発せられるピークの光の放射方向が、ＬＥＤ照明装置の発光面に対しＬＥＤ照明装置の発光面から見て後ろ側に傾斜するようＬＥＤ素子が配置されたことを特徴とする請求項１記載のＬＥＤ照明装置。
【請求項４】
前記ＬＥＤ素子が少なくとも２つ以上のＬＥＤ素子であって、前記ＬＥＤ素子と略対向する前記第２の反射部材との距離が略同距離になるよう各々のＬＥＤ素子を配置したことを特徴とする請求項１乃至請求項３のいずれかに記載のＬＥＤ照明装置。
【請求項５】
前記ＬＥＤ素子とＬＥＤ照明装置の発光面との間に拡散性のある透過部材、又は遮光部材を設けたことを特徴とする請求項１乃至請求項４のいずれか記載のＬＥＤ照明装置。
【請求項６】
前記第２の反射部材の端部とＬＥＤ照明装置の発光面との間に隙間を設けたことを特徴とする請求項１乃至請求項５のいずれか記載のＬＥＤ照明装置。
【請求項７】
前記第２の反射部材と前記発光面との間に拡散性のある透過部材を設けたことを特徴とする請求項１乃至請求項５のいずれか記載のＬＥＤ照明装置。
【請求項８】
前記第１の反射部材および／又は第２の反射部材を拡散反射性のある反射部材としたことを特徴とする請求項１乃至請求項７のいずれか記載のＬＥＤ照明装置。
【発明の詳細な説明】
【技術分野】
【０００１】
本発明は、やわらかい光が求められる装飾灯や鏡用の照明等に用いられるＬＥＤ（発光ダイオード）照明装置に係り、特に均一な発光面を得ることができるＬＥＤ照明装置に関する発明である。
【背景技術】
【０００２】
従来の面発光ＬＥＤ照明装置としては、図１５の如く、ＬＥＤ１の出射光をレンズ２のコーン状の凹み４で屈折させ、さらにレンズ２の表面で全反射させ、その反射光がＬＥＤ側に設けられた反射率の高いＬＥＤ側拡散面３に当たり拡散反射されてレンズの表面側に向かい、拡散板５で拡散され均一に面発光させたものがある。コーン状の凹み４での屈折、およびレンズ２表面での全反射の模式図を図１６に示す（例えば、特許文献１参照。）。
【０００３】
ここで、拡散板５の透過度が高い場合は、レンズ２のエッジ部（拡散板側の平面と傾斜面との境界面）が投影され、上面からエッジ部が見えることにより均一な面発光にならない恐れがあり、また、レンズ２のエッジ部の投影を緩和するために拡散板５の透過度を低くすると、透過する光量が減ってしまい効率がダウンしてしまう可能性がある。また、拡散板５とレンズ２は別体であるので、固定のために例えば接着すると接着時に異物が混入する心配や気泡を巻き込むといった恐れがある。接着以外の固定方法としては、周縁を金属枠などで固定する手段があるが、構造が複雑となり、さらにはデザイン的制約が発生するといった問題がある。
【０００４】
また、拡散板５がなくても点光源により均一に発光させようとすると導光板や精密なレンズが必要となり、また、ＬＥＤの配光バラツキや装置の組立誤差などを吸収させるにはバラツキまで配慮したレンズ設計をする必要がある。その結果、設計コストが嵩むし、レンズ自体の製造コストも割高になる傾向にある。
【特許文献１】特開２００１−３５１４２４号公報（第４頁、第１図、第２図）
【発明の開示】
【発明が解決しようとする課題】
【０００５】
本発明は、上記問題を解決するためになされたもので、本発明の課題は、簡単な構造で、均一な面発光ＬＥＤ照明装置を提供することにある。
【課題を解決するための手段】
【０００６】
上記目的を達成するために請求項１記載の発明によれば、箱体により形成した本体の上面を拡散性のある透過部材により構成すると共に発光面とし、該箱体の内部にＬＥＤ素子を光源として用いたＬＥＤ照明装置において、ＬＥＤ素子は所定方向に光を放射するＬＥＤ素子であって、ＬＥＤ素子から発せられる所定方向への光の放射方向がＬＥＤ照明装置の発光面と略平行になるようにＬＥＤ素子を配置し、前記ＬＥＤ照明装置の発光面と略対向した前記箱体の底部に第１の反射部材を備え、前記ＬＥＤ素子から発せられる所定方向への光の放射方向と略対向した位置に第２の反射部材を備えた。
【０００７】
これにより、ＬＥＤ素子から発せられる所定方向への光の放射方向がＬＥＤ照明装置の発光面と略平行になるようＬＥＤ素子を配置したので、発光面に直接ＬＥＤを直接相対した場合に比べてＬＥＤ照明装置の発光面に向かうＬＥＤ素子の直接光は弱い光となる。その結果、ＬＥＤ素子の光ムラが目立たなくなる。
また、ＬＥＤ照明装置の発光面から出射される光は、ＬＥＤ素子からの直接光のみならず、第１の反射部材による反射光、第２の反射部材による反射光、及び第１の反射部材による反射光がさらに第２の反射部材で反射された光となり、ＬＥＤ素子の直接光による光ムラを反射光で補うため、発光面は均一となる。
【０００８】
また、この構成によると、部品点数は少なく、複雑な形状部品もないので構造が簡単で済み、安価に仕上げることができる。さらに、レンズなどの高度な設計技術を有する部品を有しないため、比較的簡単に短時間で設計・試作・評価が可能であり、開発コストを抑えるとことができる。また、各板材固定のための金属枠もないことから、デザインの自由度が上がることは言うまでもない。なお、砲弾型ＬＥＤ素子を用いる場合においては、砲弾状の長手部分が発光面と平行になるので、垂直に置く場合と比較するとＬＥＤ照明装置を薄型にすることができる。
【０００９】
また、本発明の好ましい様態として、請求項２記載の発明によれば、前記ＬＥＤ素子を所定方向にピークの光を放射するＬＥＤ素子とした。
【００１０】
これにより、ＬＥＤ素子から発せられるピークの光の放射方向がＬＥＤ照明装置の発光面と略平行になるようＬＥＤ素子を配置したので、発光面から出射されるＬＥＤ素子からの直接光は相対的に減少し、直接光による光ムラをより小さくすることができる。
【００１１】
本発明の好ましい様態として、請求項３記載の発明によれば、前記ＬＥＤ素子は所定方向にピークの光を放射するＬＥＤ素子であって、ＬＥＤ素子から発せられるピークの光の放射方向が、ＬＥＤ照明装置の発光面に対しＬＥＤ照明装置の発光面から見て後ろ側に傾斜するようＬＥＤ素子を配置した。
【００１２】
これにより、ＬＥＤ素子から発せられるピークの光の放射方向が、ＬＥＤ照明装置の発光面に対しＬＥＤ照明装置の発光面から見て後ろ側に傾斜するようＬＥＤ素子を配置したので、発光面から出射されるＬＥＤ素子からの直接光は相対的により減少するとともに、反射光は相対的に増加するので、直接光による光ムラをより小さくできるとともに反射光は多くなり、より均一性に優れたＬＥＤ照明装置を実現できる。
【００１３】
また、本発明の好ましい様態として、請求項４記載の発明によれば、前記ＬＥＤ素子が少なくとも２つ以上のＬＥＤ素子であって、前記ＬＥＤ素子と略対向する前記第２の反射部材との距離が略同距離になるよう各々のＬＥＤ素子を配置した。
【００１４】
これにより、各々の第２の反射部材で反射される光は、反射方向、及び反射光量が各々同等で均等な反射光となるので、発光面の輝度も均等になり見栄えがよく、均一性の高いＬＥＤ照明装置を実現できる。また、複数のＬＥＤ素子を用いて大型で均一な面発光ＬＥＤ照明装置を実現できる。
【００１５】
また、本発明の好ましい様態として、請求項５記載の発明によれば、前記ＬＥＤ素子とＬＥＤ照明装置の発光面との間に拡散性のある透過部材、又は遮光部材を設けた。
【００１６】
これにより、ＬＥＤ照明装置の発光面へ向かうＬＥＤ素子からの直接光を発光面に到達する前に拡散、又は遮蔽することができるので、ＬＥＤ素子の直接光による光ムラを解消することができ、より均一な面発光ＬＥＤ照明装置を提供できる。
【００１７】
また、本発明の好ましい様態として、請求項６記載の発明によれば、前記第２の反射部材の端部とＬＥＤ照明装置の発光面との間に隙間を設けた。
【００１８】
これにより、第２の反射部材によってＬＥＤ照明装置の発光面に影ができないので、発光面の均一性を損なうことはない。
【００１９】
本発明の好ましい様態として、請求項７記載の発明によれば、前記第２の反射部材と前記発光面との間に拡散性のある透過部材を設けた。
【００２０】
これにより、第２の反射部材によってＬＥＤ照明装置の発光面に影ができずに、かつ第２の反射部材とＬＥＤ照明装置の発光面との間の拡散性のある透過部材によって発光面の際までくっきりと発光するので、より好ましい。
【００２１】
また、本発明の好ましい様態として、請求項８記載の発明によれば、前記第１の反射部材および、または第２の反射部材を拡散反射性のある反射部材とした。
【００２２】
これにより、第１の反射部材および／又は第２の反射部材による反射光が拡散光となるので、ＬＥＤ照明装置の発光面はより均一さを増す。
【発明の効果】
【００２３】
本発明によれば、ＬＥＤ素子から発せられる所定方向への光の放射方向がＬＥＤ照明装置の発光面と略平行になるようＬＥＤ素子を配置したので、ＬＥＤ照明装置の発光面に向かうＬＥＤ素子の直接光は弱い光となる。その結果、ＬＥＤ素子の光ムラが目立たなくなる。また、ＬＥＤ照明装置の発光面から出射される光は、ＬＥＤ素子からの直接光のみならず、第１の反射部材による反射光、第２の反射部材による反射光、及び第１の反射部材による反射光がさらに第２の反射部材で反射された光となり、ＬＥＤ素子の直接光による光ムラを反射光で補うため、発光面は均一となる。
【００２４】
また、この構成によると、部品点数は少なく、複雑な形状部品もないので構造が簡単で済み、安価に仕上げることができる。さらに、レンズなどの高度な設計技術を有する部品を有しないため、比較的簡単に短時間で設計・試作・評価が可能であり、開発コストを抑えるとことができる。さらに、各板材固定のための金属枠もないことから、デザインの自由度が上がることは言うまでもない。
【発明を実施するための最良の形態】
【００２５】
以下、本発明の一実施の形態を図面に基づき詳細に説明する。
【００２６】
（第１の実施の形態）図１は本発明の第１の実施形態におけるＬＥＤ照明装置の上面図、図２は図１のＡ−Ａ断面図、図３は図２のＡ部拡大図である。
【００２７】
ＬＥＤ照明装置１００は、カバー２０と底板２１で箱体を成しており、四角柱形状である。カバー２０は拡散性のある透過部材である乳白色のアクリルで、上面を発光面２２としている。ＬＥＤ照明装置１００には砲弾型ＬＥＤ１０が４個内蔵され、ＬＥＤ照明装置１００のほぼ中央に配置されている。砲弾型ＬＥＤ１０は、砲弾形状の根元から先端の円弧方向に向かって光を放射するものであり、この放射方向と発光面２２が略平行になるように砲弾型ＬＥＤ１０は、成す角度が９０度とされたリード線によりプリント基板Ｐに取り付けられている。プリント基板Ｐは底板２１の凹んだ部分２１Ｐに固定され、プリント基板Ｐの裏面の半田面はシリコンシール材などの塗布によって絶縁処理されている（図示せず）。砲弾型ＬＥＤ１０への給電は、プリント基板Ｐの半田面で電気的に接続された入力電線（図示せず）を通じて行われるものであり、プリント基板Ｐ上には砲弾型ＬＥＤ１０の他に、砲弾型ＬＥＤ１０の制限抵抗（図示せず）などの電子部品を適宜実装しても良い。
ここで、箱体とは、上面と下面およびこれらの面に接する側面から構成されている。
【００２８】
発光面２２と略対向する底板２１には第１の反射部材３０があり、砲弾型ＬＥＤ１０の放射方向と略対向するカバー２０の側面には第２の反射部材３１が設けられている。これら反射部材は鏡面のアルミ板で、周知の通り、光を効率よく反射するものである。図２により第１の反射部材３０による反射光を反射光４１、第２の反射部材３１による反射光を反射光４２、第１の反射部材３０による反射光がさらに第２の反射部材３１で反射された反射光を反射光４３にて、２点鎖線の矢印で図示している。また、砲弾型ＬＥＤ１０から発光面２２に向かって直接照射されている光を直接光４０にて、２点鎖線の矢印で図示している。
【００２９】
カバー２０と底板２１で箱体を成したカバー２０の内側側面には第２の反射部材が各々の面に１枚づつの合計４個取付けられている。すなわち、各々の砲弾型ＬＥＤ１０と略対向して各々の第２の反射部材３１が設けられており、また、各々の砲弾型ＬＥＤ１０と各々の第２の反射部材３１との距離が略同距離になるよう各々の砲弾型ＬＥＤ１０は配置されている。
【００３０】
また、カバー２０には鍔部２３があり、取付板８０との間にあるパッキン６０が弾性変形するよう、取付金具７０によってＬＥＤ照明装置１００が取付板８０に取付けられ、ネジ７１で固定されている。
【００３１】
図３は図２のカバー２０の側端面の発光面２２側のＡ部拡大図で、第２の反射部材３１の先端と発光面２２との間には隙間ｓがある。砲弾型ＬＥＤ１０からこの隙間ｓ部分に向かう光は直接光４４である。
【００３２】
以上から、この構成によると、砲弾型ＬＥＤ１０は放射方向が横向きで発光面２２と略平行になるよう取り付いているので、放射方向が発光面２２に向かう場合と比べると、例えば放射方向と発光面２２が垂直の場合、すなわち砲弾型ＬＥＤが縦向きの場合と比べると、発光面２２に向かう砲弾型ＬＥＤ１０の直接光４０は弱い光であり、発光面２２における砲弾型ＬＥＤ１０の光ムラが目立たなくなる。一方、発光面２２と略平行の方向には十分な光量が砲弾型ＬＥＤ１０から放射されるので、第１の反射部材３０と第２の反射部材３１による反射光４１、４２、４３は十分な反射光量となり発光面２２に到達し、砲弾型ＬＥＤ１０の直接光４０による光ムラを補うため、発光面は均一となる。
また、砲弾型ＬＥＤ１０は放射方向と同方向に長い形状であり、長い形状部分が発光面と平行になるので、ＬＥＤを発光面と垂直に置く場合と比較するとＬＥＤ照明装置１００を薄型にすることができる。
さらに、ＬＥＤは電球類や放電管に比べ小型なので、照明装置を薄型にすることができるとともに、ＬＥＤの特長でもある低発熱、長寿命といった点からしても有利な光源である。なお、発光面２２は拡散性のある透過部材なので、やわらかい拡散光を得ることができる。
【００３３】
また、各々の砲弾型ＬＥＤ１０と略対向して各々の第２の反射部材３１が設けられており、各々の砲弾型ＬＥＤ１０と各々の第２の反射部材３１との距離が略同距離になるよう各々の砲弾型ＬＥＤ１０は配置されているので、各々の第２の反射部材で反射される光は、反射方向、及び反射光量が各々同等で均等な反射光となる。その結果、発光面の輝度も均等になり見栄えがよく、均一性の高いＬＥＤ照明装置を実現できる。また、複数の砲弾型ＬＥＤ１０を用いると、大型で均一な面発光ＬＥＤ照明装置を実現できる。
【００３４】
また、第２の反射部材３１上端と発光面２２との間に隙間ｓがあるので、第２の反射部材３１の影が発光面２２に投影されることなく、発光面の均一性を損なうことはない。また、この隙間部分である第２の反射部材３１と発光面２２との間には拡散性のある透過部材であるカバー２０が存在するので、この部分に向かう直接光４４は反射部材で反射されることなくカバー２０に到達し、カバー２０の内部で放射状に拡散（図３の４４ｓ参照）しながら透過し、発光面２２の際までくっきりと発光するので、より好ましい均一な面発光が実現できる。
【００３５】
さらに、カバー２０の鍔部２３と取付板８０との間にあるパッキン６０が弾性変形するよう取り付いており、しかもパッキン６０より上方の発光面側には繋ぎ目等の隙間がなく、カバー２０は一体であるので、取付板８０の表面側からの水気や湿気をこのパッキン６０にて堰き止めることができ、パッキンより下方に位置する砲弾型ＬＥＤ１０やプリント基板Ｐなどの電子部品を保護できる。したがって、一般照明器具に限らず、水気や湿気の多い場所で使用される照明器具、例えば屋外の足元灯や、システムキッチンの化粧板（前板）、洗面所の化粧棚、或いはトイレのキャビネットなどにＬＥＤ照明装置１００を取付けても問題なく使用できる。また、カバー２０は一体であって取付板８０と面一となり、しかも枠などの異種部材もないことから、スッキリとした意匠が実現できる。
【００３６】
また、この構成による照明装置は光源と箱体と第１及び第２の反射部材のみで構成したので、部品点数は少なく、複雑な形状部品もないので構造が簡単で済み、安価に仕上げることができる。さらに、レンズなどの高度な設計技術を有する部品を有しないため、比較的簡単に短時間で設計・試作・評価が可能であり、開発コストを抑えるとことができる。
【００３７】
（第２の実施の形態）図４は本発明の実施の形態のＬＥＤ照明装置の断面図で、図１と重複する点は説明を省略する。この実施形態では、砲弾型ＬＥＤ１１を中心光度にピークの配光特性を持つＬＥＤ素子としたものである。本ＬＥＤの配光曲線模式図を４６ａに示している。図５は、図４の配光曲線模式図の拡大図である。ここで、砲弾型ＬＥＤ１１は、第１実施形態と同様に、ピークの光の放射方向４５ａが発光面２２と略平行となるように、プリント基板Ｐに取り付いている。また、砲弾型ＬＥＤ１１から直接発光面２２に向かう光は４０ａ、第１の反射部材３０によって反射され発光面２２に向かう光は４１ａ、第２の反射部材３１によって反射され発光面２２に向かう光は４２ａ、第１の反射部材３０による反射後にさらに第２の反射部材３１で反射されて発光面２２に向かう光は４３ａであり、これら４０ａ、４１ａ、４２ａ、４３ａの光の強度を模式的に表現するために、これら反射光の矢印は配光曲線上までに留めている。
【００３８】
このように、ＬＥＤ１１がピークの光の放射方向４５ａが発光面２２と略平行となるように取り付いているので、砲弾型ＬＥＤ１１から直接発光面２２に向かう光４０ａはＬＥＤ素子の全光束中における割合的に弱い光となり、発光面２２への光４０ａによる光ムラは目立たなくなる。また、光４０ａの光量が相対的に減少した分、反射して発光面２２に向かう光４２ａ、４３ａは増加し、これらが光４０ａによる光ムラを補うため、発光面はより均一となる。
【００３９】
（第３の実施の形態）図６は本発明の実施の形態のＬＥＤ照明装置の配光曲線模式図の拡大図である。砲弾型ＬＥＤ１１はピークの配光特性を持つＬＥＤ素子で、図５における砲弾型ＬＥＤ１１を発光面２２に対して後ろ側に傾斜させて取付けたもので、つまり砲弾型ＬＥＤ１１が取り付けられているプリント基板Ｐの鉛直軸に対し鋭角の角度で傾斜して取り付いているので、ピークの光の放射方向４３ｂもプリント基板Ｐの鉛直軸に対し鋭角の角度で傾斜している。また、砲弾型ＬＥＤ１１から直接発光面２２に向かう光は４０ｂ、第１の反射部材３０によって反射され発光面２２に向かう光は４１ｂ、第２の反射部材３１によって反射され発光面２２に向かう光は４２ｂ、第１の反射部材３０による反射後にさらに第２の反射部材３１で反射されて発光面２２に向かう光は４３ｂであり、これら４０ｂ、４１ｂ、４２ｂ、４３ｂの光の強度を模式的に表現するために、これら反射光の矢印は配光曲線上までに留めている。
【００４０】
このように、砲弾型ＬＥＤ１１がピークの光の放射方向４５ｂがプリント基板Ｐの鉛直軸に対し鋭角の角度で傾斜するよう取り付いているので、砲弾型ＬＥＤ１１から直接発光面２２に向かう光４０ｂはＬＥＤ素子の全光束中の割合的にさらに弱い光となり、発光面２２への光４０ｂによる光ムラは目立たなくなる。これは図５の光４０ａと図６の光４０ｂとの大きさを比較すると一目瞭然である。また、光４０ｂの光量が相対的に減少した分、反射して発光面２２に向かう４１ｂ、４２ｂ、４３ｂはさらに増加し、これらが光４０ｂによる光ムラを補うため、発光面はさらに均一となる。
【００４１】
（第４の実施の形態）図７は本発明の実施の形態のＬＥＤ照明装置の断面図で、図１と重複する点は説明を省略する。本実施形態では砲弾型ＬＥＤ１０と発光面２２との間に拡散性のある透過部材である乳白色のアクリル板２４を設けている。その結果、発光面２２へ向かう砲弾型ＬＥＤ１０からの直接光４０ｃは乳白色のアクリル板２４の内部で一旦放射状に拡散（図７の４０ｓ参照）しながら乳白色のアクリル板２４を透過して発光面２２に到達するので、直接光４０ｃによる光ムラを解消することができ、より均一な面発光ＬＥＤ照明装置を提供できる。なお、拡散性のある透過部材であるアクリル板２４に代えて遮光部材、例えば影が出難いよう白色塗装された鋼板などを用いた場合は、発光面２２へ向かう直接光４０ｃ自体がなくなり、この直接光による光ムラは発生しない代わりに、遮光部材の影が出ないよう反射光をこの部分にも到達させる必要がある。また、遮光によって発光面２２へ直接到達する光量は減るので、照明器具効率は減少する傾向にある。
【００４２】
（第５の実施の形態）図８は本発明の実施の形態のＬＥＤ照明装置の上面図で、カバー２０は実線で、内部部品の内、砲弾型ＬＥＤ１０、及び第２の反射部材３１のみを点線で示したもので、第１の反射部材３０は発光面２２と略対向して砲弾型ＬＥＤ１０の後ろ側に設けられている。本実施形態では、第１実施形態で詳述したＬＥＤ装置を複数連接したものであり、底板２１を複数連結するが、カバー２０を一体化している点において、第１実施形態と相違する。
本実施形態の効果として、ＬＥＤ照明装置が正四角柱形状以外の四角柱形状とすることができるので、デザインの幅が広がる。
【００４３】
（第６の実施の形態）図９は本発明の実施の形態のＬＥＤ照明装置の上面図で、図１８との違いは、砲弾型ＬＥＤ１０の配置であり、具体的にはＬＥＤ１０を側面近傍で、しかも相対する側面に向けて配置し、図示しないが、各ＬＥＤ１０には専用のプリント基板Ｐを設けた。
これにより、各ＬＥＤ１０が近接していないので、輸送時や荷扱い時の振動や衝撃による各ＬＥＤ１０のリード線の干渉を防止するためのリード線固定が不要となる。
【００４４】
（第７の実施の形態）図１０は本発明の実施の形態のＬＥＤ照明装置の上面図で、図８との違いは、砲弾型ＬＥＤ１０の数量・配置、及び第２の反射部材３１の配置である。具体的には、ＬＥＤ１０は第６実施例と同様に側面近傍で、しかも相対する側面に向けて、１側面で１個又は複数のＬＥＤを配置し、しかも第５実施例とは異なり、カバー２０のみでなく、底板２１も一体化した実施形態である。
本実施形態の効果として、ＬＥＤ照明装置が正四角柱形状以外の四角柱形状とすることができるので、デザインの幅が広がる。
【００４５】
（第８の実施の形態）図１１は本発明の実施の形態のＬＥＤ照明装置の上面図で、図８との違いは、砲弾型ＬＥＤ１０の数量・配置、及び第２の反射部材３１の配置である。具体的には、照明装置を円柱状の箱体により形成し、カバー２０及び底板２１を円形としたものである。
本実施形態の効果として、ＬＥＤ照明装置が四角柱形状以外の形状とすることができるので、デザインの幅が広がる。
【００４６】
以上の第５〜第８の実施の形態で示したように、本発明は複数のＬＥＤを用いて角形状や円形状など様々な面形状、及びサイズを均一に面発光させることができる。
【００４７】
（第９の実施の形態）図１２は本発明の実施の形態のＬＥＤ照明装置をキャビネット式便器に用いた側面図、図１３は上面図である。キャビネット９０には便器洗浄水を貯めておくタンクや温水洗浄便座の機能部、及び掃除道具などを収納する収納部からなり（図示せず）、手前側には便器９１、及び温水洗浄便座９２が取付けられ、キャビネット９０の天板両端にはＬＥＤ照明装置１００が設けられている。
【００４８】
このようにキャビネット天板にＬＥＤ照明装置１００を備えたことで、アクセント的な光でトイレ空間が引き締まり、また装飾照明にもなり、高級感のあるトイレを実現できる。また、均一でやらかい光であり、目にもやさしく、例えば深夜のトイレにおいてこの照明だけで用を足す場合においては覚醒されず、再度就寝に就くことができる。さらに、ＬＥＤ照明装置１００はキャビネット天板と面一なので、天板に物を置いても妨げにならず、また、ＬＥＤ照明装置１００の周縁に金属枠などの固定部材もないため、意匠性にも優れる。
【００４９】
（第１０の実施の形態）図１４は本発明の実施の形態のＬＥＤ照明装置を鏡に用いた正面図である。鏡９５は鏡固定金具９６で壁に固定されている。また、鏡９５の左右端にＬＥＤ照明装置１００が取付けられている。
この場合は、四角柱形状とし、表面に鏡を設け、その側面に凹部を設け、この凹部に照明装置１００を配置した。
【００５０】
このようにＬＥＤ照明装置を鏡に用いると、照明装置１００は均一な面発光照明装置なので、鏡９５に映る写像の近傍に設けても目障りではなく、また、やわらかい光なので眩しくない。さらに、鏡９５の左右から光を照射しているので、上からの光に比べ顔に陰ができにくく、鏡映りが良い。
【００５１】
以上の第１〜第１０の実施の形態において、ＬＥＤ素子は砲弾型ＬＥＤとしたが、これに限らず表面実装型ＬＥＤでも良く、表面実装型ＬＥＤはよりコンパクトな光源であるため、照明装置をより小型化・薄型化ができる。また、発光面が小さく、ほんのりとした明るさでよければ、ＬＥＤ素子は１個でもよく、例としては屋内の足元灯である。
【００５２】
また、第１の反射部材３０、第２の反射部材３１は鏡面のアルミ板としたが、拡散反射性のある反射部材にすると、反射光が拡散光となり発光面２２はより均一さを増す。拡散反射性のある反射部材の例としては、表面が梨地、或いは鎚目形状の鏡面アルミ板や、白色塗装した板材やフィルム材である。また、第１の反射部材３０、第２の反射部材３１は平坦に限らず、円弧形状や鋸形状でも良い。
【００５３】
また、第１の反射部材３０、第２の反射部材３１を別体とせずに、カバー２０、底板２１の所定部分が反射面となるよう印刷や塗装を施しても良いし、底板２１については反射部材そのものを用いても良い。
【００５４】
さらに、カバー２０は乳白色のアクリル板としたが、これに限らず拡散性のある透過部材であれば良く、例としては透明樹脂への印刷や塗装がある。また材質としてはポリカーボネートやポリスチレンが挙げられる。なお、より拡散性を高めるために、カバー２０をショットピーニング加工や金型にシボ加工を施して、より拡散性を高めても良い。
【産業上の利用可能性】
【００５５】
本発明の活用例として、装飾灯や足元灯の他、鏡用の照明などがあげられる。
【図面の簡単な説明】
【００５６】
【図１】本発明の第１の実施形態のＬＥＤ照明装置の上面図である。
【図２】本発明の第１の実施形態のＬＥＤ照明装置の断面図である。
【図３】本発明の第１の実施形態のＬＥＤ照明装置のＡ部拡大図である。
【図４】本発明の第２の実施形態のＬＥＤ照明装置の断面図である。
【図５】本発明の第２の実施形態のＬＥＤ照明装置の配光曲線模式図の拡大図である。
【図６】本発明の第３の実施形態のＬＥＤ照明装置の配光曲線模式図の拡大図である。
【図７】本発明の第４の実施形態のＬＥＤ照明装置の断面図である。
【図８】本発明の第５の実施形態のＬＥＤ照明装置の上面図である。
【図９】本発明の第６の実施形態のＬＥＤ照明装置の上面図である。
【図１０】本発明の第７の実施形態のＬＥＤ照明装置の上面図である。
【図１１】本発明の第８の実施形態のＬＥＤ照明装置の上面図である。
【図１２】本発明の第９の実施形態のＬＥＤ照明装置をキャビネット式便器に用いた側面図
【図１３】本発明の第９の実施形態のＬＥＤ照明装置をキャビネット式便器に用いた上面図
【図１４】本発明の第１０の実施形態のＬＥＤ照明装置を鏡に用いた正面図
【図１５】従来技術に係る面発光ＬＥＤ照明装置を示す模式図である。
【図１６】図１５の要部の拡大図である。
【符号の説明】
【００５７】
１…ＬＥＤ
２…レンズ
３…ＬＥＤ側拡散面
４…コーン状の凹み
５…拡散板
１０…砲弾型ＬＥＤ
１１…中心光度にピークの配光特性を持つ砲弾型ＬＥＤ
２０…カバー
２１…底板
２２…カバー表面
２３…鍔部
２４…乳白色のアクリル板
３０…第１の反射部材
３１…第２の反射部材
４０、４０ａ、４０ｂ、４０ｃ…直接光
４１…第１の反射部材３０による反射光
４２…第２の反射部材３１による反射光
４３…第１の反射部材３０による反射光がさらに第２の反射部材３１で反射された反射光
４４…隙間ｓ部分に向かう直接光
４５ａ、４５ｂ…ピークの光の放射方向
４６ａ、４６ｂ…配光曲線模式図
６０…パッキン
７０…取付金具
７１…ネジ
８０…取付板
９０…キャビネット
９１…便器
９２…温水洗浄便座
９５…鏡
９６…鏡固定金具
１００…ＬＥＤ照明装置
【図１】
2005108694.tif 000003
【図２】
2005108694.tif 000004
【図３】
2005108694.tif 000005
【図４】
2005108694.tif 000006
【図５】
2005108694.tif 000007
【図６】
2005108694.tif 000008
【図７】
2005108694.tif 000009
【図８】
2005108694.tif 000010
【図９】
2005108694.tif 000011
【図１０】
2005108694.tif 000012
【図１１】
2005108694.tif 000013
【図１２】
2005108694.tif 000014
【図１３】
2005108694.tif 000015
【図１４】
2005108694.tif 000016
【図１５】
2005108694.tif 000017
【図１６】
2005108694.tif 000018